(57)【要約】      （修正有）【課題】ひとりの作業員でも携帯モニターを確認しながらビデオカメラの監視視野を容易に変更することができる高炉用羽口の監視装置を提供する。【解決手段】羽口の観察窓に固定する筐体１００と、該筐体１００に横向きに装着されたビデオカメラ２１０とを備え、筐体１００の内部に収納される筒状の光学ユニット１１０に固定される反射鏡１１１を介して高炉内の状況を観察する高炉用羽口の監視装置であって、調整ノブ１２３を備えた調整ねじ１２１を設け、コイルスプリング１２４を備えた支持ねじ１２２を設け、筐体１００内の反射鏡１１１を挟んで角度を調整する前後調整具１２０と左右調整具とを備える。ビデオカメラ２１０に繋がれた携帯モニターを見ながら、反射鏡１１１の角度を調整するように構成する。【選択図】図３
0003218740.tif 000002
【実用新案登録請求の範囲】
【請求項１】
羽口の観察窓に固定する筐体と、該筐体に横向きに装着されたビデオカメラとを備え、筐体の内部に装着した反射鏡を介して高炉内の状況を観察する高炉用羽口の監視装置において、調整ノブを備えた調整ねじと、コイルスプリングを備えた支持ねじとで筐体内の反射鏡の角度を調整する左右調整具と前後調整具とを備え、ビデオカメラに同軸ケーブルで繋がれた携帯モニターを見ながら、左右調整具と前後調整具との各調整ノブを操作して反射鏡の角度を調整するように構成したことを特徴とする高炉用羽口の監視装置。
【請求項２】
前記支持ネジは、前記コイルスプリングの押圧付勢力にて各支持ネジの先端が常に前記反射鏡に当接するよう構成した請求項１記載の高炉用羽口の監視装置。
【請求項３】
前記反射鏡は、前記筐体内に収納される筒状の光学ユニットに固定され、前記左右調整具と前記前後調整具とは、該光学ユニットの外側面に形成された椀状の支持凹部内で支持するように構成した請求項１記載の高炉用羽口の監視装置。
【考案の詳細な説明】
【技術分野】
【０００１】
本考案は、高炉用羽口の監視装置に係り、高炉内を監視するために高炉用羽口に取付けた監視装置におけるビデオカメラの視野調整を容易にすることができる高炉用羽口の監視装置に関するものである。
【背景技術】
【０００２】
一般に高炉操業とは、原料工程で秤量された鉄鉱石及びコークスを高炉内部に投入した後、溶融還元するための熱風を羽口から供給し、溶銑を生産することをいう。このような操業過程で、高炉の下部炉床には放射状に羽口が設置されて高炉内部に均一に熱風を供給している。
【０００３】
高炉の燃焼状態を監視する作業者は、送風口ユニットに設けられた観察窓から羽口を通して高炉内部の状況を肉眼にて点検する。現状では、全数（３０〜４０の観察窓）の羽口を順次観察しなければならないので危険が多く、しかも全ての羽口を観察するのに極めて多くの時間が必要になっていた。
【０００４】
そこで、高炉の内部の状況を効率よく測定するため、例えば特許文献１に示されるように、観察窓の前面にビデオカメラと放射温度計を設置し、ビデオカメラの画像信号と放射温度計の温度信号に基づいてコークスの温度を算出する測定方法及び装置が提案されている。
【０００５】
ところが、羽口の観察窓にビデオカメラを固定した場合、羽口の内部を十分観察することが困難であった。すなわち、羽口の構造が細長い筒状になっているため、ビデオカメラを固定すると視野が一方向に限定されてしまうことから、撮影する範囲が極めて制限されることになる。
【０００６】
そこで、当出願人は、先に、ビデオカメラの視野を調整するために、羽口の観察窓に固定された筐体の内部に装着されている反射鏡の向きを調整する調整ノブを筐体の外部に装着した高炉用羽口の監視装置を提案している(特許文献２)。この調整ノブを調整することで、ビデオカメラの視野を調整することが容易になった。
【先行技術文献】
【特許文献】
【０００７】
【特許文献１】特開平５−２５６７０５号公報
【特許文献２】実用新案登録第３１６０４５３号公報
【考案の概要】
【考案が解決しようとする課題】
【０００８】
ところが、従来の調整ノブは、筐体の左右に配列されているので、両手を使用しなければ視野の調整ができない構造であった。
【０００９】
そのため、現場でビデオカメラに携帯モニターを繋げ、この携帯モニターを見ながら視野を調整しようとすると、視野の調整に両手が必要になり、携帯モニターを片手で持ちながら調整ノブを操作することはできなくなる。したがって、このような作業をするには、ビデオカメラを持つ作業員と調整ノブを操作する作業員との二人の作業員が必要になる。しかも、一人で作業しようとすると、高炉近くの高温の床上に携帯モニターを置いて視野を調整することになり、携帯モニターに悪影響を与える虞があった。
【００１０】
そこで本考案は、上述の課題を解消すべく案出されたもので、ひとりの作業員でも携帯モニターを確認しながらビデオカメラの視野を容易に変更することができる高炉用羽口の監視装置の提供を目的とするものである。
【課題を解決するための手段】
【００１１】
上述の目的を達成すべく本考案における第１の手段は、羽口１の観察窓３に固定する筐体１００と、該筐体１００に横向きに装着されたビデオカメラ２１０とを備え、筐体１００の内部に装着した反射鏡１１１を介して高炉Ｐ内の状況を観察する高炉用羽口の監視装置において、調整ノブ１２３、１３３を備えた調整ねじ１２１、１３１と、コイルスプリング１２４、１３４を備えた支持ねじ１２２、１３２とで筐体１００内の反射鏡１１１の角度を調整する左右調整具１３０と前後調整具１２０とを備え、ビデオカメラ２１０に同軸ケーブルで繋がれた携帯モニター３００を見ながら、左右調整具１３０と前後調整具１２０との各調整ノブ１２２、１３２を操作して反射鏡１１１の角度を調整するように構成したものである。
【００１２】
第２の手段の前記支持ネジ１２３、１３３は、前記コイルスプリング１２４、１３４の押圧付勢力にて各支持ネジ１２２、１３２の先端が常に前記反射鏡１１１に当接するよう構成している。
【００１３】
第３の手段の前記反射鏡１１１は、前記筐体１００内に収納される筒状の光学ユニット１１０に固定され、前記左右調整具１３０と前記前後調整具１２０とは、該光学ユニット１１０の外側面に形成された椀状の支持凹部１１２内で支持するように構成したものである。
【考案の効果】
【００１４】
本考案の請求項１によると、ビデオカメラ２１０に同軸ケーブルで繋がれた携帯モニター３００を見ながら、左右調整具１３０と前後調整具１２０との各調整ノブ１２２、１３２を操作して反射鏡１１１の角度を調整するように構成したものであるから、ひとりの作業員でも携帯モニター３００を確認しながらビデオカメラ２１０の視野を容易に変更することができる。しかも、一方の手で携帯モニター３００を持ちながら他方の手で左右調整具１３０や前後調整具１２０の各調整ノブ１２２、１３２を操作できるので、高炉近くの高温の床上に携帯モニターを置く必要もなくなり、携帯モニターに悪影響を与える虞も解消した。
【００１５】
請求項２により、前記支持ネジ１２３、１３３は、前記コイルスプリング１２４、１３４の押圧付勢力にて各支持ネジ１２２、１３２の先端が常に前記反射鏡１１１に当接するよう構成しているので、前記調整ノブ１２２、１３２を操作するだけで、前記反射鏡１１１の角度を正確に調整することができる。しかも、前記コイルスプリング１２４、１３４は耐熱性に優れているので、高炉用羽口の近くで長時間使用することができる。
【００１６】
請求項３のように、前記反射鏡１１１は、前記筐体１００内に収納される筒状の光学ユニット１１０に固定され、前記左右調整具１３０と前記前後調整具１２０とは、該光学ユニット１１０の外側面に形成された椀状の支持凹部１１２内で支持する構成により、調整角度が広くなると共に、反射鏡１１１の角度調整を正確に行うことができる。
【００１７】
このように本考案によると、反射鏡の角度を片手で調整できるようにすることで、ひとりの作業員でも携帯モニターを確認しながらビデオカメラの視野を容易に変更することができるといった当初の目的を達成した。
【図面の簡単な説明】
【００１８】
【図１】本考案の使用状態を示す斜視図である。
【図２】本考案の一実施例を示す側面図である。
【図３】本考案の一実施例を示す側断面図である。
【図４】本考案の一実施例を示す正面図である。
【図５】本考案の一実施例を示す正断面図である。
【図６】本考案の一実施例を示す底面図である。
【図７】(イ)〜(ハ)は、視野を前後に変更する状態を示す概略図である。
【図８】(イ)〜(ハ)は、視野を左右に変更する状態を示す概略図である。
【考案を実施するための形態】
【００１９】
本考案監視装置は、高炉内の状況を観察する高炉用羽口の監視装置であり、送風口ユニット２の観察窓３から羽口１を通して高炉内部の状況を点検するもので、筐体１００とカバー２００とを備えている(図１参照)。筐体１００は、略円筒形を成し、この筐体１００の内部に光学ユニット１１０が収納され、この光学ユニット１１０内に反射鏡１１１が固定されている（図３参照）。
【００２０】
筐体１００の下部には、箱状のカバー２００を設置してあり、このカバー２００内部にビデオカメラ２１０が収納されている(図３参照)。このビデオカメラ２１０により、筐体１００の内部に装着した反射鏡１１１を介して高炉Ｐ内の状況を観察する。更に、筐体１００には、内部の反射鏡１１１の角度を調整する前後調整具１２０と左右調整具１３０とを備えている(図２、図４参照)。
【００２１】
反射鏡１１１は、筐体１００内に収納される筒状の光学ユニット１１０に固定されている(図３参照)。そのため、この反射鏡１１１は、この光学ユニット１１０を介して角度が調整されることになる(図３、図５参照)。この光学ユニット１１０の外側面には、椀状の支持凹部１１２が形成されており、左右調整具１３０や前後調整具１２０は、この支持凹部１１２内で各ネジ先端を支持するように構成している(図７(イ)、図８(イ)参照)。この支持凹部１１２は椀状を成した曲面を有するので、光学ユニット１１０の傾斜角度に広く対応することが可能になる。
【００２２】
前後調整具１２０は、反射鏡１１１の角度を前後に調整する部材で、調整ねじ１２１と支持ねじ１２２とを反射鏡１１１の前後の位置に配置している(図２参照)。一方の調整ねじ１２１には、調整ノブ１２３を備えてあり、この調整ノブ１２３を手指で操作することで、調整ねじ１２１が進退する(図７(イ)参照)。
【００２３】
他方の支持ねじ１２２には、コイルスプリング１２４を備え、このコイルスプリング１２４の押圧付勢力にて支持ねじ１２２の先端が常に光学ユニット１１０を押圧するように構成している(図７参照)。
【００２４】
この結果、調整ねじ１２１を反射鏡１１１側にねじ込むと反射鏡１１１が光学ユニット１１０ごと押圧されて前方に移動し(図７(イ)参照)、この調整ねじ１２１を反射鏡１１１から離すと、支持ねじ１２２の押圧力により反射鏡１１１が元の位置に戻される(同図(ロ)参照)。更に、調整ねじ１２１を反射鏡１１１から離すと、支持ねじ１２２の押圧力により反射鏡１１１が光学ユニット１１０ごと後方に移動する(同図(ハ)参照)。
【００２５】
左右調整具１３０は、反射鏡１１１の角度を左右に調整するもので、反射鏡１１１の左右に、調整ねじ１３１と支持ねじ１３２とを配している(図４、図５参照)。これらの調整ねじ１３１と支持ねじ１３２は、前述した左右調整具１２０の調整ねじ１２１と支持ねじ１２２と同じ構造を成しており同じ作用を奏する。
【００２６】
すなわち、左右調整具１３０は、反射鏡１１１の角度を左右に調整するもので、調整ねじ１３１と支持ねじ１３２とを反射鏡１１１の左右の位置に配置している(図５参照)。一方の調整ねじ１３１には、調整ノブ１３３を備えてあり、この調整ノブ１３３を手指で操作することで、調整ねじ１３１が進退する(図８(イ)参照)。そして、調整ねじ１３１が光学ユニット１１０を押圧すると、光学ユニット１１０ごと反射鏡１１１の角度が左右に変わる。
【００２７】
この結果、調整ノブ１３３を操作して調整ねじ１３１が反射鏡１１１側から離れるように調整すると、支持ねじ１３２のコイルスプリング１３４の押圧力により、反射鏡１１１が光学ユニット１１０ごと押圧されて調整ねじ１３１側に傾くことになる(図８(イ)参照)。次に、調整ねじ１３１を反射鏡１１１側に近づくように調整すると、光学ユニット１１０が押圧されて元の位置に戻る(同図(ロ)参照)。更に、調整ねじ１３１を反射鏡１１１方向に押し付けるように調整すると、調整ねじ１３１の押圧力により反射鏡１１１が光学ユニット１１０ごと支持ねじ１３２方向に傾くものである(同図(ハ)参照)。
【００２８】
このように、反射鏡１１１の角度を前後に調整するには前後調整具１２０の調整ノブ１３３を片手で操作し、反射鏡１１１の角度を左右に調整するには左右調整具１３０の調整ノブ１２３を片手で操作するものである。
【００２９】
そして、ビデオカメラ２１０のビデオ映像出力２２０に連結した同軸ケーブル２２０で携帯モニター３００を繋ぎ、この携帯モニター３００を片手で持ちながら左右調整具１３０や前後調整具１２０の操作をするものである(図１参照)。
【００３０】
尚、本考案の実施例は図示例に限られるものではなく、本考案の要旨を変更しない範囲で自由に変更できるものである。
【符号の説明】
【００３１】
１  羽口
２  送風口ユニット
３  観察窓
１００  筐体
１１０  光学ユニット
１１１  反射鏡
１１２  支持凹部
１２０  前後調整具
１２１  調整ねじ
１２２  支持ねじ
１２３  調整ノブ
１２４  スプリング
１３０  左右調整具
１３１  調整ねじ
１３２  支持ねじ
１３３  調整ノブ
１３４  スプリング
２００  カバー
２１０  ビデオカメラ
２２０  同軸ケーブル
２３０  ビデオ映像出力
３００  携帯モニター
【図１】
0003218740.tif 000003
【図２】
0003218740.tif 000004
【図３】
0003218740.tif 000005
【図４】
0003218740.tif 000006
【図５】
0003218740.tif 000007
【図６】
0003218740.tif 000008
【図７】
0003218740.tif 000009
【図８】
0003218740.tif 000010
【手続補正書】
【提出日】平成30年7月26日(2018.7.26)
【手続補正１】
【補正対象書類名】実用新案登録請求の範囲
【補正対象項目名】請求項１
【補正方法】変更
【補正の内容】
【請求項１】
羽口の観察窓に固定する筐体と、該筐体に横向きに装着されたビデオカメラとを備え、筐体の内部に装着した反射鏡を介して高炉内の状況を観察する高炉用羽口の監視装置において、筐体内の反射鏡の左右に、調整ねじと支持ねじとを配して左右の角度を調整する左右調整具と、反射鏡の前後に調整ねじと支持ねじとを配して反射鏡の前後の角度を調整する前後調整具とを備え、各支持ねじにそれぞれコイルスプリングを備え、コイルスプリングの押圧付勢力にて各支持ねじの先端が常に光学ユニットを押圧するように構成し、ビデオカメラに同軸ケーブルで繋がれた携帯モニターを見ながら、左右調整具と前後調整具との各調整ノブを操作して反射鏡の角度を調整するように構成したことを特徴とする高炉用羽口の監視装置。
【手続補正２】
【補正対象書類名】実用新案登録請求の範囲
【補正対象項目名】請求項２
【補正方法】変更
【補正の内容】
【請求項２】
前記支持ねじは、前記コイルスプリングの押圧付勢力にて各支持ねじの先端が常に前記反射鏡に当接するよう構成した請求項１記載の高炉用羽口の監視装置。
【手続補正３】
【補正対象書類名】明細書
【補正対象項目名】００１１
【補正方法】変更
【補正の内容】
【００１１】
上述の目的を達成すべく本考案における第１の手段は、羽口１の観察窓３に固定する筐体１００と、該筐体１００に横向きに装着されたビデオカメラ２１０とを備え、筐体１００の内部に装着した反射鏡１１１を介して高炉Ｐ内の状況を観察する高炉用羽口の監視装置において、筐体１００内の反射鏡１１１の左右に、調整ねじ１３１と支持ねじ１３２とを配して左右の角度を調整する左右調整具１３０と反射鏡１１１の前後に調整ねじ１２１と支持ねじ１２２とを配して反射鏡１１１の前後の角度を調整する前後調整具１２０とを備え、各支持ねじ１２２、１３２にそれぞれコイルスプリング１２４、１３４を備え、コイルスプリング１２４の押圧付勢力にて各支持ねじ１２２、１３２の先端が常に光学ユニット１１０を押圧するように構成し、ビデオカメラ２１０に同軸ケーブルで繋がれた携帯モニター３００を見ながら、左右調整具１３０と前後調整具１２０との各調整ノブ１２２、１３２を操作して反射鏡１１１の角度を調整するように構成したものである。
【手続補正４】
【補正対象書類名】明細書
【補正対象項目名】００１２
【補正方法】変更
【補正の内容】
【００１２】
第２の手段の前記支持ねじ１２３、１３３は、前記コイルスプリング１２４、１３４の押圧付勢力にて各支持ねじ１２２、１３２の先端が常に前記反射鏡１１１に当接するよう構成している。
【手続補正書】
【提出日】平成30年8月29日(2018.8.29)
【手続補正１】
【補正対象書類名】実用新案登録請求の範囲
【補正対象項目名】全文
【補正方法】変更
【補正の内容】
【実用新案登録請求の範囲】
【請求項１】
羽口の観察窓に固定する筐体と、該筐体に横向きに装着されたビデオカメラとを備え、筐体の内部に装着した反射鏡を介して高炉内の状況を観察する高炉用羽口の監視装置において、反射鏡は、筐体内に収納される筒状の光学ユニットに固定され、筐体内の反射鏡の左右に、調整ねじと支持ねじとを配して左右の角度を調整する左右調整具と、反射鏡の前後に調整ねじと支持ねじとを配して反射鏡の前後の角度を調整する前後調整具とを備え、各支持ねじにそれぞれコイルスプリングを備え、コイルスプリングの押圧付勢力にて各支持ねじの先端が常に光学ユニットを押圧するように構成し、ビデオカメラに同軸ケーブルで繋がれた携帯モニターを見ながら、左右調整具と前後調整具との各調整ノブを操作して反射鏡の角度を調整するように構成したことを特徴とする高炉用羽口の監視装置。
【請求項２】
前記支持ねじは、前記コイルスプリングの押圧付勢力にて各支持ねじの先端が常に前記反射鏡に当接するよう構成した請求項１記載の高炉用羽口の監視装置。
【請求項３】
前記反射鏡は、前記筐体内に収納される筒状の光学ユニットに固定され、前記左右調整具と前記前後調整具とは、該光学ユニットの外側面に形成された椀状の支持凹部内で支持するように構成した請求項１記載の高炉用羽口の監視装置。
【手続補正２】
【補正対象書類名】明細書
【補正対象項目名】００１１
【補正方法】変更
【補正の内容】
【００１１】
上述の目的を達成すべく本考案における第１の手段は、羽口１の観察窓３に固定する筐体１００と、該筐体１００に横向きに装着されたビデオカメラ２１０とを備え、筐体１００の内部に装着した反射鏡１１１を介して高炉Ｐ内の状況を観察する高炉用羽口の監視装置において、反射鏡１１は、筐体１００内に収納される筒状の光学ユニット１１０に固定され、筐体１００内の反射鏡１１１の左右に、調整ねじ１３１と支持ねじ１３２とを配して左右の角度を調整する左右調整具１３０と反射鏡１１１の前後に調整ねじ１２１と支持ねじ１２２とを配して反射鏡１１１の前後の角度を調整する前後調整具１２０とを備え、各支持ねじ１２２、１３２にそれぞれコイルスプリング１２４、１３４を備え、コイルスプリング１２４の押圧付勢力にて各支持ねじ１２２、１３２の先端が常に光学ユニット１１０を押圧するように構成し、ビデオカメラ２１０に同軸ケーブルで繋がれた携帯モニター３００を見ながら、左右調整具１３０と前後調整具１２０との各調整ノブ１２２、１３２を操作して反射鏡１１１の角度を調整するように構成したものである。